(57)【特許請求の範囲】
【請求項１】
エアゾール製品に用いられる噴射ノズルであって、噴射孔から空間を隔てた前方部位に拡散手段が設けられ、
前記拡散手段に、前記噴射孔の先端を貫通する横孔と、該横孔の中央部から両端面に沿った噴射溝とが形成され、前記拡散手段が断面くさび形状を呈することを特徴とする噴射ノズル。
【請求項２】
前記拡散手段が前記噴射孔に対して回転自在に設けられてなる請求項１記載の噴射ノズル。
【請求項３】
前記噴射ノズルが、ロングノズルと、該ロングノズルの先端に嵌着され、前記拡散手段が形成される拡散噴射部材とからなる請求項１または２記載の噴射ノズル。
【請求項４】
前記噴射ノズルが、前記拡散手段が形成される拡散噴射部材からなる請求項１または２記載の噴射ノズル。
【請求項５】
前記噴射孔の孔径が０．７〜３．０ｍｍ、噴射孔から拡散手段までの距離が０．５〜１０ｍｍ、拡散手段の幅が１〜２０ｍｍ、噴射角度が１０〜１００度である請求項１、２、３または４記載の噴射ノズル。
【発明の詳細な説明】
【０００１】
【発明の属する技術分野】
本発明は噴射ノズルに関する。さらに詳しくは、殺虫剤、殺菌剤または消臭剤などを広範囲および遠方まで噴射することができる噴射ノズルに関する。
【０００２】
【従来の技術および発明が解決しようとする課題】
従来より、床下や天井裏などの空間に狭い入り口（隙間）から殺虫剤などを噴射するために、エアゾール製品が使用されている。
【０００３】
かかるエアゾール製品は、有底筒状の外筒にバルブが装着されているエアゾール容器と、該バルブに装着される押しボタンと、該ボタンに取り付けられる噴射ノズルとから構成されている。このエアゾール製品における、噴射量や拡散性などの噴射特性は、前記噴射ノズルの形状により大きく影響される。
【０００４】
たとえば従来より、内径および噴射孔を０．８〜１．５ｍｍとしたロングノズル（細長いノズル）の噴射ノズルＡ１がある（特許第２６２０８６８号公報参照）。この噴射ノズルＡ１では、ノズルの延長方向に噴射するのには適しているが、噴射された殺虫剤などの内容物の広がりが小さく、さらなる拡散性に問題点を残している。
【０００５】
また先端に複数の噴射孔を設けた多方向噴射ノズルＡ２がある（特許第２５０４９２５号公報参照）。この噴射ノズルＡ２では、広範囲に噴射することはできるが、噴射孔の大きさに限界があるため、噴射量をノズルで制御しなければならない。すなわち、噴射孔を大きくし過ぎると方向性がなくなり、逆に小さくすると遠くには飛ぶが、拡散性が低下する惧れがある。
【０００６】
またノズル先端の内面に形成される放射状溝を通して内容物を中心に集めたのち、噴射させるメカニカルブレークアップ機構を備えた噴射ノズルＡ３がある。この噴射ノズルＡ３では、噴射孔が０．６φ未満の場合は、前記メカニカルブレークアップ機構が好適に作用し、内容物は微細化され、広範囲に噴射できる。しかし、噴射孔が小さいため、噴射量が抑制され、遠くまで噴射することができない。
【０００７】
さらにこれらの噴射ノズルＡ１〜Ａ３は、噴射方向を任意に変えることができないという問題もある。
【０００８】
本発明は、叙上の事情に鑑み、内容物を広範囲に噴射できるとともに、遠方まで飛ばすことができる噴射ノズルを提供することを目的とする。
【０００９】
【課題を解決するための手段】
本発明の噴射ノズルは、エアゾール製品に用いられる噴射ノズルであって、噴射孔から空間を隔てた前方部位に拡散手段が設けられ、前記拡散手段に、前記噴射孔の先端を貫通する横孔と、該横孔の中央部から両端面に沿った噴射溝とが形成され、前記拡散手段が断面くさび形状を呈することを特徴とする。
【００１０】
【発明の実施の形態】
以下、添付図面に基づいて、本発明の噴射ノズルを説明する。
【００１１】
図１は本発明の噴射ノズルの一実施の形態を示す斜視図、図２は噴射ノズルの要部斜視図、図３は噴射ノズルの要部側面図、図４は噴射ノズルの部分横断面図、図５は本発明の噴射ノズルの他の実施の形態を示す斜視図、図６は本発明の噴射ノズルのさらに他の実施の形態を示す要部断面図、図７は比較例１〜３にかかわる噴射ノズルを示す部分側面図である。
【００１２】
図１〜３に示されるように、本発明の一実施の形態にかかわる噴射ノズル１は、殺虫剤もしくは殺菌剤などの内容物を床下、天井裏もしくは部屋の空間へ噴霧させるエアゾール製品、または消臭剤などの内容物を部屋もしくはエアコンのダクト内などの空間に噴霧させるエアゾール製品などに用いられる。
【００１３】
かかるエアゾール製品は、たとえば有底筒状の外筒２上にエアゾールバルブが装着されるエアゾール容器３と、該容器３にキャップを取り付けるために固着されるカバー４と、前記バルブのステムに嵌着される押しボタン５と、前記バルブのステムを圧下することにより前記容器３内に充填される内容物を噴射させる噴射ノズル１とから構成されている。
【００１４】
前記噴射ノズル１は、カバー４の開口側壁から突出させた押しボタン５の噴射孔に噴射短筒６の一端部を嵌着したのち、該噴射短筒６の他端部において球面形状の凹凸嵌合により垂直方向から水平方向へ９０°回動自在にされている。この噴射ノズル１は、ロングノズル７と、該ロングノズル７の先端に嵌着される平板形状の拡散噴射部材８とから構成され、前記ロングノズル７の噴口に連通する拡散噴射部材８の噴射孔９から空間を隔てた前方部位に、２方向に内容物を噴射させる断面くさび形状の拡散手段Ｄが設けられている。該拡散手段Ｄは、噴射孔９の先端を貫通する横孔１０を形成したのち、該横孔１０の中央部から両端面に沿って半楕円状などの噴射溝１１を切削することにより形成することができる。
【００１５】
前記拡散手段Ｄの噴射角度θは、噴射孔９の孔径ｄ、噴射孔９から拡散手段Ｄまでの距離ａ、拡散手段Ｄの幅Ｈおよびエアゾール容器の内圧などにより適宜選定することができる。たとえばエアゾール容器の内圧（２５℃のゲージ圧）が１〜１０ｋｇ／ｃｍ2の場合、前記孔径ｄは約０．７〜３．０ｍｍとするのが好ましい。これは０．７ｍｍ未満では、噴射量が少ないため遠方にまで内容物を飛ばすことができなく、３．０ｍｍをこえると、噴射量が多くなり過ぎて噴射した空間で、内容物の濃度が急激に高くなり過ぎるので、人体への影響または燃焼性などの点で好ましくないからである。また距離ａは、約０．５〜１０ｍｍとするのが好ましい。これは０．５ｍｍ未満では、拡散手段Ｄまでの距離が近く過ぎて、噴射された内容物が拡散手段と衝突したときに生じる反作用力によって噴射量が抑制され、１０ｍｍをこえると、拡散手段Ｄ効果が少なく、広範囲に噴射できなくなるからである。また幅Ｈは、約１．０〜２０ｍｍとするのが好ましい。これは１．０ｍｍ未満では、広範囲に噴射できなくなり、２０ｍｍをこえると、遠方に噴射できなくなるからである。さらにこれらの寸法範囲内の場合、噴射角度θは約１０〜１００度とするのが好ましい。これは１０度未満では、広範囲に噴射できなくなり、１００度をこえると、遠方に噴射できなくなるためである。
【００１６】
本実施の形態では、噴射孔９から噴射された内容物が、一旦大気中に放出されたのちに拡散手段Ｄと接触して２方向に噴霧される。このとき、内容物は一旦大気中に放出されてから噴射方向を変えるため、噴射量は抑制されない。その結果、内容物を広範囲に、かつ遠方まで飛ばすことができる。
【００１７】
また前記拡散噴射部材８は、押しボタン５の噴射孔および／またはロングノズル７の噴射孔９に対して回転自在にされている。たとえばロングノズル７の先端部またはロングノズル７と噴射短筒６との嵌合部で回転自在にすることにより、噴射方向を水平方向、上下方向または斜め方向に自在に変えられる。このため、たとえば床下などの隙間の方向に応じて、拡散噴射部材８を回転させて挿入することができる。
【００１８】
なお、本実施の形態では、噴射ノズルがロングノズルと該ロングノズルに嵌着される拡散噴射部材の２部材から構成されているが、本発明においては、これに限定されるものではなく、ロングノズルと拡散噴射部材とを一体成形して１部材とすることができる。また前記拡散手段Ｄが拡散噴射部材に設けられているが、前記ロングノズルの噴口の先端部を閉塞成形したのち、当該閉塞部に横孔と噴射溝を形成して、ロングノズル自体に設けることもできる。
【００１９】
また前記拡散噴射部材８は、図５に示されるように、ロングノズル７の一部である、前記押しボタン５の噴射短筒６に直接取り付けることができる。または前記拡散噴射部材８自体が噴射ノズルとして、図６に示されるように、通常用いられる押しボタン２１の噴射孔２２に基部８ａを直接取り付けることもできる。
【００２０】
さらに本実施の形態では、拡散手段Ｄによる噴射方向が２方向にされているが、本発明においては、これに限定されるものではなく、噴射溝の数を調整することにより、３〜８方向にすることもできる。
【００２１】
つぎに本発明を実施例に基づいて説明するが、本発明はかかる実施例に限定されるものではない。
【００２２】
実施例１
まずエアゾール容器を用意した。この容器には、噴射剤としてエタノール５０重量％および加圧剤としてＬＰＧ５０重量％からなる内容物が製品圧力３．６ｋｇ／ｃｍ2（２５℃）で充填されている。また前記エアゾール容器の押しボタンに取り付けられるロングノズルとしては、孔径が１．５ｍｍであり、長さが１０ｃｍであるものを用いた。
【００２３】
そしてこのロングノズルの先端につぎに示す寸法の拡散噴射部材を取り付けた。
【００２４】
孔径ｄ    ：１．５ｍｍ
距離ａ    ：２．０ｍｍ
幅Ｈ      ：３．０ｍｍ
噴射角度θ：３０度
ついでかかるエアゾール製品を２５℃に保ち、表１に示す測定距離５、１０、２０、３０および５０ｃｍに設置した紙（アルコールが付着すると変色する紙）に向けて噴射した。この結果を表１に示す。
【００２５】
【表１】
0004365472.tif 000002
【００２６】
つぎに図７（ａ）に示すように、前記エアゾール容器の押しボタンのロングノズル３１に拡散噴射部材を取り付けないエアゾール製品（比較例１）、図７（ｂ）に示すように、前記エアゾール容器の押しボタンに噴射孔が３箇所形成された噴射ノズル３２を取り付けたエアゾール製品（比較例２）および図７（ｃ）に示すように、前記エアゾール容器の押しボタンにメカニカルブレークアップ機構を備えた噴射ノズル３３を取り付けたエアゾール製品（比較例３）を用意した。ついで前記実施例１と同様の噴射試験を行なった。その結果を表１に示す。なお、比較例２については、噴射パターン３方向のうちの１本を測定距離２５ｃｍにおける噴射パターンは５×６ｃｍであった。
【００２７】
表１から、本実施例１は、比較例１、２と噴射量は程度であり、比較例１〜３と比較すると、遠くに噴射される程、噴射パターンが広くなることがわかる。とくに実施例１の最大到達距離は比較例１よりも短いが、広範囲に、かつ遠方に噴射することがわかる。したがって、本実施例１は、内容物の噴射量を抑制させずに、広範囲に、かつ遠方まで内容物を飛ばすことができることがわかる。
【００２８】
【発明の効果】
以上説明したとおり、本発明によれば、噴射孔の前方部位に設けられる拡散手段により、内容物が一旦大気中に放出されてから噴射方向を変えるため、内容物の噴射量を抑制させずに、広範囲に、かつ遠方まで内容物を飛ばすことができる。
【００２９】
また拡散手段による噴射方向を自在に変更できるようにすることにより、隙間の方向に応じて挿入することができる。
【図面の簡単な説明】
【図１】本発明の噴射ノズルの一実施の形態を示す斜視図である。
【図２】噴射ノズルの要部斜視図である。
【図３】噴射ノズルの要部側面図である。
【図４】噴射ノズルの部分横断面図である。
【図５】本発明の噴射ノズルの他の実施の形態を示す斜視図である。
【図６】本発明の噴射ノズルのさらに他の実施の形態を示す要部断面図である。
【図７】比較例１〜３にかかわる噴射ノズルを示す部分側面図である。
【符号の説明】
１  噴射ノズル
２  外筒
３  エアゾール容器
４  カバー
５  押しボタン
６  噴射短筒
７  ロングノズル
８  拡散噴射部材
９  噴射孔
１０  横孔
１１  噴射溝
Ｄ  拡散手段
【図１】
0004365472.tif 000003
【図２】
0004365472.tif 000004
【図３】
0004365472.tif 000005
【図４】
0004365472.tif 000006
【図５】
0004365472.tif 000007
【図６】
0004365472.tif 000008
【図７】
0004365472.tif 000009